(57)【要約】【課題】マスクの密着性を低下させることなく、耳掛け部によって着用者に生じる負担を軽減できるマスク用耳掛け紐を提供する。【解決手段】マスク本体１の左右に右耳掛け部２及び左耳掛け部３として備えられる耳掛け紐２００であって、水酸基を一つ以上含む多価アルコールが塗布されている。水酸基を一つ以上含む多価アルコールは、保湿剤、特にヒアルロン酸であることが望ましい。また、巻糸２０２が巻かれた複数のゴム紐２０１が束ねられて形成された組２１１が、ゴム紐２０１が耳掛け紐２００の長さ方向に対して斜めに配置されるように複数編まれており、巻糸２０２に水酸基を一つ以上含む多価アルコールが塗布されていることが望ましい。【選択図】図４
2019205788.tif 000002
【特許請求の範囲】
【請求項１】
マスク本体の左右に備えられるマスク用耳掛け紐であって、
水酸基を一つ以上含む多価アルコールが塗布されていることを特徴とするマスク用耳掛け紐。
【請求項２】
前記水酸基を一つ以上含む多価アルコールは、保湿剤であることを特徴とする請求項１に記載のマスク用耳掛け紐。
【請求項３】
前記保湿剤は、ヒアルロン酸であることを特徴とする請求項２に記載のマスク用耳掛け紐。
【請求項４】
複数のゴム紐が編まれており、
前記ゴム紐には巻糸が巻かれており、
前記巻糸に前記水酸基を一つ以上含む多価アルコールが塗布されていることを特徴とする請求項１から３のいずれか一項に記載のマスク用耳掛け紐。
【請求項５】
前記巻糸は、ポリエステルによって形成されていることを特徴とする請求項４に記載のマスク用耳掛け紐。
【請求項６】
複数のゴム紐が、前記マスク用耳掛け紐の長さ方向に対して斜めに配置されるように編まれていることを特徴とする請求項４又は５に記載のマスク用耳掛け紐。
【請求項７】
複数の前記ゴム紐が束ねられて形成された組が、複数編まれていることを特徴とする請求項４から６のいずれか一項に記載のマスク用耳掛け紐。
【請求項８】
請求項１から７のいずれか一項に記載のマスク用耳掛け紐を備えたマスク。
【発明の詳細な説明】
【技術分野】
【０００１】
本発明は、マスク用耳掛け紐及びマスクに関する。
【背景技術】
【０００２】
疾病時、花粉又は黄砂等の粉塵飛来時、その他の日常生活において使用されるマスクは、長時間使用しても着用者に不快感を生じさせないことが求められる。そして、マスクのうち着用者の耳に掛止される耳掛け部は、着用者の耳に掛かる部分及び頬を通過する部分において着用者の肌に直接接することから、長時間使用しても着用者に不快感を生じさせないマスクを提供するためには、このような耳掛け部によって着用者に生じる負担を軽減する必要がある。
そこで、耳掛け部を形成する紐の途中に、その長さや強さを調整するための調整部を備えたマスクが知られている（例えば、特許文献１参照）。
【先行技術文献】
【特許文献】
【０００３】
【特許文献１】特開２０１４−２１０１５３号公報
【発明の概要】
【発明が解決しようとする課題】
【０００４】
しかしながら、特許文献１に記載の発明のように着用者が耳掛け部につきその長さや強さを調整できるようにした場合、耳への負担を軽減するためには、耳掛け部を長くかつ弱くすることとなるが、この場合、マスクの密着性が低下し、外部の有害物質に対する遮断効果を十分に発揮できなくなる可能性がある。
【０００５】
本発明は、マスクの密着性を低下させることなく、耳掛け部によって着用者に生じる負担を軽減できるマスク用耳掛け紐を提供することを目的とする。
【課題を解決するための手段】
【０００６】
上記課題を解決するために、請求項１に記載の発明は、
マスク本体の左右に備えられるマスク用耳掛け紐であって、
水酸基を一つ以上含む多価アルコールが塗布されていることを特徴とする。
本発明によれば、マスクの密着性を低下させることなく、耳掛け部によって着用者に生じる負担を軽減できるマスク用耳掛け紐を提供することができる。
【０００７】
請求項２に記載の発明は、請求項１に記載のマスク用耳掛け紐であって、
前記水酸基を一つ以上含む多価アルコールは、保湿剤であることを特徴とする。
本発明によれば、着用者の肌への保湿効果も得ることができる。
【０００８】
請求項３に記載の発明は、請求項２に記載のマスク用耳掛け紐であって、
前記保湿剤は、ヒアルロン酸であることを特徴とする。
本発明によれば着用者の肌への保湿効果も得ることができる。
【０００９】
請求項４に記載の発明は、請求項１から３のいずれか一項に記載のマスク用耳掛け紐であって、
複数のゴム紐が編まれており、
前記ゴム紐には巻糸が巻かれており、
前記巻糸に前記水酸基を一つ以上含む多価アルコールが塗布されていることを特徴とする。
本発明によれば、さらに耳掛け部によって着用者に生じる負担を軽減できる。
【００１０】
請求項５に記載の発明は、請求項４に記載のマスク用耳掛け紐であって、
前記巻糸は、ポリエステルによって形成されていることを特徴とする。
本発明によれば、さらに耳掛け部によって着用者に生じる負担を軽減できる。
【００１１】
請求項６に記載の発明は、請求項４又は５に記載のマスク用耳掛け紐であって、
複数のゴム紐が、前記マスク用耳掛け紐の長さ方向に対して斜めに配置されるように編まれていることを特徴とする。
本発明によれば、さらに耳掛け部によって着用者に生じる負担を軽減できる。
【００１２】
請求項７に記載の発明は、請求項４から６のいずれか一項に記載のマスク用耳掛け紐であって、
複数の前記ゴム紐が束ねられて形成された組が、複数編まれていることを特徴とする。
本発明によれば、さらに耳掛け部によって着用者に生じる負担を軽減できる。
【００１３】
請求項８に記載の発明は、請求項１から７のいずれか一項に記載のマスク用耳掛け紐を備えたマスクである。
本発明によれば、耳掛け部によって着用者に生じる負担を軽減できるマスクを提供することができる。
【発明の効果】
【００１４】
本発明によれば、マスクの密着性を低下させることなく、耳掛け部によって着用者に生じる負担を軽減できるマスク用耳掛け紐を提供することができる。
【図面の簡単な説明】
【００１５】
【図１】実施形態に係るマスクを示す斜視図である。
【図２】実施形態に係るマスクを示す正面図である。
【図３】図２のIII-III部における断面図である。
【図４】耳掛け紐の編み方を示す図である。
【図５】耳掛け紐を構成するゴム紐及びゴム紐に巻かれた巻糸を示す図である。
【発明を実施するための形態】
【００１６】
以下、本発明の実施形態であるマスク１００の具体的な態様について、図１から図５に基づいて説明する。ただし、本発明の技術的範囲は図示例に限定されるものではなく、あくまで特許請求の範囲の記載を基に判断される。
なお、以下においては、図１に示すように、マスクの着用者から見た方向を基準として、前後、左右及び上下を定めて説明する。
【００１７】
［構成の説明］
｛全体構成｝
マスク１００は、図１及び図２に示すように、着用者の顔面の鼻、口、顎等を覆うマスク本体１と、マスク本体１を着用者の右耳に掛止するための右耳掛け部２と、マスク本体１を着用者の左耳に掛止するための左耳掛け部３と、を備えている。なお、マスク１００は、マスク本体１の後面側を着用者の顔面に向けて着用される。
【００１８】
｛マスク本体｝
マスク本体１は、図２及び図３に示すように、複数のシート材によって形成されたシート部１１と、シート部１１の上端部付近に取り付けられた鼻部補強部材１２と、シート部１１の上下方向中央部付近に取り付けられた口部補強部材１３と、を備える。
【００１９】
（シート部）
シート部１１は、図２に示すように正面視略矩形状に形成されたシート状の部材であり、複数のシート材を積層して形成されている。
シート部１１は、左右方向に１２０ｍｍから２１０ｍｍ、好ましくは１４５ｍｍから１７５ｍｍ、上下方向に７０ｍｍから１００ｍｍ、好ましくは８０ｍｍから９０ｍｍに形成される。
【００２０】
シート部１１は、図３に示すように、肌から遠い面から順に、シート部１１の肌から最も遠い面に位置する外面側不繊布１１１、フィルター１１２、シート部１１の肌から最も近い面に位置する着用者側不繊布１１３の順にシート材を積層して形成されている。具体的なシート材としては、例えば不繊布として、ポリプロピレンスパンボンド、ポリエチレンスパンボンド、ナイロンスパンボンド等が用いられ、フィルターとして、ポリプロピレンメルトブロー、レーヨンスパンボンド等が用いられる。また、着用者側不繊布１１３には、保湿剤、柔軟剤、抗菌剤等を塗布することも可能である。
最も好適には、外面側不繊布１１１としてポリプロピレンスパンボンドが用いられ、着用者側不繊布１１３として保湿剤を塗布したナイロンスパンボンドが用いられ、これらの間に挟み込まれるフィルター１１２としてポリプロピレンメルトブローが用いられる。
【００２１】
なお、外面側不繊布１１１、フィルター１１２及び着用者側不繊布１１３は、必ずしも図１から図３に示すように全て同じ大きさに形成されている必要はない。例えば、外面側不繊布１１１のみを上下方向に大きく形成し、これが、シート部１１の上端部及び下端部を覆って、後ろ側へと巻き込まれるように形成されていてもよい。この場合、シート部１１の上端部及び下端部の強度を向上することができる。
【００２２】
シート部１１を形成する外面側不繊布１１１、フィルター１１２及び着用者側不繊布１１３は、図２及び図３に示すように、上下及び左右の端部付近において、熱・超音波等によって前後に溶着されており、上端部付近に上端部接続部１１ａが、下端部付近に下端部接続部１１ｂが、右端部付近に右端部接続部１１ｃが、左端部付近に左端部接続部１１ｄが形成されている。
【００２３】
シート部１１の上部には、後述の鼻部補強部材１２を取り付けるため、図１から図３に示すように、鼻部補強部材１２を囲むように外面側不繊布１１１、フィルター１１２及び着用者側不繊布１１３を、熱・超音波等によって溶着した鼻部補強部材周辺接続部１１ｅが形成されている。
鼻部補強部材周辺接続部１１ｅは、正面視において鼻部補強部材１２の形状と略一致するように形成されていることが望ましいが、鼻部補強部材１２の周囲に若干の間隙が存在し、鼻部補強部材１２を動かすことが可能であってもよい。
【００２４】
シート部１１の上下方向中央部付近には、後述の口部補強部材１３を取り付けるため、図２及び図３に示すように、口部補強部材１３を囲むようにフィルター１１２及び着用者側不繊布１１３を、熱・超音波等によって溶着した口部補強部材周辺接続部１１ｆが形成されている。
口部補強部材周辺接続部１１ｆは、正面視において口部補強部材１３の形状と略一致するように形成されていることが望ましいが、口部補強部材１３の周囲に若干の間隙が存在し、口部補強部材１３を動かすことが可能であってもよい。
【００２５】
また、図１から図３においては夫々の接続部１１ａから１１ｆが別個に設けられた場合について図示したが、これに限られず、複数の接続部を兼ねる部分が存在していてもよい。例えば、上端部接続部１１ａと鼻部補強部材周辺接続部１１ｅの上部とが重なり、上端部接続部１１ａが鼻部補強部材周辺接続部１１ｅ上部を兼ねていてもよい。
また、これらの接続部は、前後にシート材が接続されていればよく、必ずしも熱・超音波等による溶着によって形成されている必要はない。
また、図１及び図２においてはこれらの接続部が実線状に形成された場合につき図示したが、これに限られず、接続部は例えば破線状に形成されていてもよい。
【００２６】
（プリーツ）
シート部１１は、図３に示すように上下方向に折り返されており、これによって、前面側に、図１から図３に示すように、上部プリーツ１１ｇと、下部プリーツ１１ｈ、１１ｈとが形成されている。マスク１００の着用時には、これらを上下方向に展開することによって、シート部１１が外側に膨出する山型の立体形状となって、着用者の顔面の鼻、口、顎等が覆われるようになっている。
【００２７】
上部プリーツ１１ｇは、図１から図３に示すように、シート部１１前面の上下方向中央部よりも上部に形成された、上方に凸となる折り目であり、上下方向に展開することができる。本実施形態においては、上部プリーツ１１ｇは、シート部１１の１か所に備えられている。
【００２８】
下部プリーツ１１ｈ、１１ｈは、図１から図３に示すように、シート部１１前面の上下方向中央部よりも下部に形成された、下方に凸となる折り目であり、上下方向に展開することができる。本実施形態においては、下部プリーツ１１ｈ，１１ｈは、シート部１１の２か所に備えられている。
【００２９】
上部プリーツ１１ｇ及び下部プリーツ１１ｈ，１１ｈは、シート部１１の上下方向中央部を含む、上部プリーツ１１ｇと下部プリーツ１１ｈ，１１ｈのうち上方に形成されたものとの間の部分の間隔が、最も広くなるように配置され、特に当該部分が、シート部１１の上下方向の幅の３分の１以上の幅を有するように配置されていることが望ましい。これによって、着用者の口元の空間を確保し易くなる。
【００３０】
また、上部プリーツ１１ｇ及び下部プリーツ１１ｈ，１１ｈは、これらの配置間隔が全て異なる間隔となるように配置されていることが望ましい。これによって、プリーツごとに配置間隔を変え、適切な位置に配置することが可能となる。
なお、プリーツの配置間隔には、上部プリーツ１１ｇとマスク上端縁との間隔及び下部プリーツ１１ｈ，１１ｈのうち下方に形成されたものとマスク下端縁との間隔を含むものとする。
【００３１】
（鼻部補強部材）
鼻部補強部材１２は、マスク本体１の上部が着用者の鼻付近の形状に沿って、隙間が生じないようにするためのものであり、図２に示すように、シート部１１の上端縁に沿って備えられている。
鼻部補強部材１２は、左右方向に長い可塑性を有する部材であり、シート部１１の横幅よりも短く、左右方向に８０から１３５ｍｍ、好ましくは９０ｍｍから１２０ｍｍの長さを有し、上下方向に幅３ｍｍから５ｍｍ、前後方向に厚み０．５ｍｍから１．０ｍｍとなるように形成されている。
【００３２】
鼻部補強部材１２の材料としては、可塑性を有する任意の材料を使用可能であるが、例えば、ポリプロピレン樹脂、ポリエチレン樹脂、ポリエステル樹脂等が用いられ、最も好適には、ポリプロピレン樹脂が用いられる。
【００３３】
鼻部補強部材１２は、フィルター１１２と、着用者側不繊布１１３との間に配置され、外面側不繊布１１１、フィルター１１２及び着用者側不繊布１１３を、鼻部補強部材１２の上下及び左右において熱・超音波等を用いて前後に溶着させることで、鼻部補強部材１２を囲むように形成された鼻部補強部材周辺接続部１１ｅによって、シート部１１に取り付けられている。
【００３４】
なお、鼻部補強部材１２は、マスク本体１の上部に隙間が生じないようにすることが可能であれば、任意の配置及び取り付け方法によってシート部１１に取り付けることができる。
例えば、後述の口部補強部材１３と同様に、外面側不繊布１１１は溶着されないようにして鼻部補強部材周辺接続部１１ｅを形成し、鼻部補強部材１２をシート部１１に取り付けてもよい。また、例えば、鼻部補強部材１２は、外面側不繊布１１１と、フィルター１１２との間に配置されていてもよい。
【００３５】
（口部補強部材）
口部補強部材１３は、マスク本体１の着用者の口元付近の形状を維持するためのものであり、図２及び図３に示すように、シート部１１の、上部プリーツ１１ｇと、下部プリーツ１１ｈ，１１ｈのうち上方に形成されたものとの間の位置の、シート部１１の上下方向中央部付近に取り付けられている。
なお、口部補強部材１３の取り付け位置としては、シート部１１の上下方向中央部から５ｍｍから１０ｍｍ程度下方にずれた位置に取り付けられていることが、着用者の下唇付近の空間を広く確保できるため望ましいが、マスク本体１の着用者の口元付近の形状を維持することができればよく、このような配置位置には限られない。
【００３６】
口部補強部材１３は、左右方向に長い可塑性を有する部材であり、図２に示すようにシート部１１の横幅よりも僅かに短く、左右方向に１００から１５０ｍｍ、好ましくは１１５ｍｍから１４５ｍｍの長さを有し、上下方向に幅３ｍｍから５ｍｍ、前後方向に厚み０．５ｍｍから１．０ｍｍとなるように形成されている。
【００３７】
口部補強部材１３の材料としては、可塑性を有する任意の材料を使用可能であるが、例えば、鼻部補強部材１２と同様、ポリプロピレン樹脂、ポリエチレン樹脂、ポリエステル樹脂等が用いられ、最も好適には、ポリプロピレン樹脂が用いられる。
【００３８】
口部補強部材１３は、図３に示すように、フィルター１１２と、着用者側不繊布１１３との間に配置され、フィルター１１２と着用者側不繊布１１３とを、口部補強部材１３の上下及び左右において、熱・超音波等を用いて前後に溶着させることで、口部補強部材１３を囲むように形成された口部補強部材周辺接続部１１ｆによって、シート部１１に取り付けられている。
これによって、口部補強部材１３が、フィルター１１２と、着用者側不繊布１１３とに対して固定され、フィルター１１２、着用者側不繊布１１３及び口部補強部材１３が、着用者の口元付近において固定されるが、外面側不繊布１１１については、シート部１１の四辺の端部付近以外においては、他の部材に固定されていないこととなる。
【００３９】
なお、マスク本体１としては、着用者の対称部位を覆い、耳掛け部を取り付けた際にマスクとして機能し得るものであれば任意の構成を用いることが可能である。
【００４０】
｛耳掛け部｝
右耳掛け部２及び左耳掛け部３は、いずれも耳掛け紐２００をマスク本体１に取り付けることによって形成されている。
具体的には、図１及び２に示すように、右耳掛け部２はマスク本体１の右側において、耳掛け紐２００の一方の端部をシート部１１の右端部の上部に熱・超音波等によって溶着させ、他方の端部をシート部１１の右端部の下部に熱・超音波等によって溶着させることによって形成されている。また左耳掛け部３はマスク本体１の左側において、耳掛け紐２００の一方の端部をシート部１１の左端部の上部に熱・超音波等によって溶着させ、他方の端部をシート部１１の左端部の下部に熱・超音波等によって溶着させることによって形成されている。
右耳掛け部２及び左耳掛け部３は、いずれも一端部から他端部までの長さが１４０ｍｍから２００ｍｍ、好ましくは１６０ｍｍから１８０ｍｍとなるように形成される。
【００４１】
（耳掛け紐）
耳掛け紐２００は、図４及び図５に示すように、巻糸２０２が巻かれた複数のゴム紐２０１によって形成された組２１１を複数編むことによって形成されている。
【００４２】
（ゴム紐）
ゴム紐２０１は、伸縮性の材料によって形成された細い紐状の部材である。ゴム紐２０１の材料としては、例えば、合成ゴムの場合にはポリウレタン等が用いられる。なお、ゴム紐２００の材料としては、合成ゴムを用いることが好ましいが、これに限られず、例えばラテックス等の天然ゴムを用いてもよい。また、ゴム紐２０１としては、全て同じ太さのものを用いてもよいし、異なる太さの複数種類のものを混合して用いてもよい。
ゴム紐２０１の太さとしては、材料としてポリウレタンを用いる場合、１０ｄｔｅｘから１００ｄｔｅｘであることが好ましく、３０ｄｔｅｘから７０ｄｔｅｘであることがさらに好ましい。
【００４３】
（巻糸）
ゴム紐２０１の周囲には、図４及び図５に示すように巻糸２０２が巻かれている。巻糸２０２の巻き方としては、全てのゴム紐２０１の周囲に、間隙が生じないように巻かれていることが好ましい。
巻糸２０２の材料としては、ポリエステル、ナイロン等を用いることができるが、特にポリエステルであることが好ましい。この場合、やわらかい触感を得ることができる。
巻糸２０２の太さとしては、４０ｄｔｅｘから３００ｄｔｅｘであることが好ましく、６５ｄｔｅｘから２２０ｄｔｅｘであることがさらに好ましい。
【００４４】
さらに、この巻糸２０２には、着用者の肌との間に生じる摩擦を低減するため、グリセリン、リン酸エステル、ヒアルロン酸等の、水酸基を一つ以上含む多価アルコールが塗布されている。
塗布の方法としては、水酸基を一つ以上含む多価アルコールを巻糸２０２に塗布した上で、これをゴム紐２０１に巻いてもよいし、ゴム紐２０１に巻糸２０２を巻いた後に、水酸基を一つ以上含む多価アルコールを塗布してもよい。また、巻糸２０２が巻かれた複数のゴム紐２０１によって形成された組２１１を複数編むことによって耳掛け紐２００の形状とした上で、最後に水酸基を一つ以上含む多価アルコールを塗布してもよい。
【００４５】
水酸基を一つ以上含む多価アルコールが保湿効果を有する保湿剤である場合、着用者の肌の耳掛け紐２００が接する部分への保湿効果を得ることができる。上記のグリセリン、リン酸エステル及びヒアルロン酸はいずれも保湿剤の例であるが、この中でもヒアルロン酸を用いることが特に好ましい。この場合、着用者の肌への保湿効果を特に高めることができる。
【００４６】
水酸基を一つ以上含む多価アルコールの具体的な塗布量としては、耳かけ紐２００に対し、１ｍごとに３０ｇから３００ｇの塗布量となることが好ましく、７５ｇから１５０ｇの塗布量となることがさらに好ましい。
３０ｇを下回ると摩擦を低減する効果が十分に得られない。
【００４７】
（組）
巻糸２０２が巻かれた所定数のゴム紐２０１を束ねることによって、図４に示すように組２１１が形成される。組２１１としては、複数のゴム紐２０１を束ねたのみでもよいし、これを捻る等してまとめてあってもよい。図４においては３本のゴム紐２０１によって組２１１が形成された場合につき図示したが、組２１１を形成するゴム紐２０１の数はこれに限られない。各組２１１を形成するゴム紐２０１は、全て同じ太さであってもよいし、異なる太さの複数種類のゴム紐２０１が混合されていてもよい。
【００４８】
耳掛け紐２００は、図４に示すように、複数の組２１１を所謂三つ編みの要領で編むことで、各組２１１が、耳掛け紐２００の長さ方向に対して斜めに配置され、かつ、各組２１１が一組ずつ交差するように編まれている。また、耳掛け紐２００は、全てのゴム紐２０１が耳掛け紐２００の長さ方向の全体に亘って延在するように形成される。これによって、組２１１を形成するゴム紐２０１が、耳掛け紐２００の長さ方向に対して斜めに配置されるように編まれることとなる。
【００４９】
具体的には、組２１１は、１から４本のゴム紐２０１によって形成され、このような組２１１を３から１５組編むことによって耳掛け紐２００が形成されていることが望ましい。
また、耳掛け紐２００は、幅５〜７ｍｍ程度の扁平な帯状に形成されていることが望ましい。
【００５０】
なお、耳掛け紐２００の具体的構成は、上記のものが好ましいが、水酸基を一つ以上含む多価アルコールを塗布できるものであればよく、必ずしもこれに限定されない。
例えば、上記においては、巻糸２０２が巻かれたゴム紐２０１を所定数束ねることによって、断面が扁平な帯状となる平紐となるように形成された場合につき説明したが、断面が略円形となる丸紐となるように形成されていてもよい。
【００５１】
［製造方法の説明］
（１）ゴム紐２０１の周りに巻糸２０２を巻く。
（２）ゴム紐２０１の周りに巻かれた巻糸２０２に、水酸基を一つ以上含む多価アルコールを塗布する。なお、巻糸２０２に水酸基を一つ以上含む多価アルコールを塗布した上で、これをゴム紐２０１の周りに巻いてもよい。また、（３）を経て耳掛け紐２００の形状とした後に、水酸基を一つ以上含む多価アルコールを塗布してもよい。
（３）巻糸２０２が巻かれたゴム紐２０１を束ねて組２１１とし上で、組２１１を複数編み、耳掛け紐２００とする。例えば、被服用の紐を製造する製紐器のボビンに糸の代わりに巻糸２０２が巻かれたゴム紐２０１を組２１１ごとに巻き、それを編むことで耳掛け紐２００を形成する。
（４）肌から遠い面から順に、フィルター１１２、着用者側不繊布１１３の順でシート材を重ね、フィルター１１２と、着用者側不繊布１１３との間の所定の位置に、鼻部補強部材１２及び口部補強部材１３を配置する。
（５）フィルター１１２と着用者側不繊布１１３とを、口部補強部材１３の上下及び左右において熱・超音波等を用いて前後に溶着させ、口部補強部材周辺接続部１１ｆを形成する。
（６）口部補強部材周辺接続部１１ｆを形成したフィルター１１２及び着用者側不繊布１１３と、外面側不織布１１１とを、肌から遠い面から順に、外面側不繊布１１１、フィルター１１２、着用者側不繊布１１３の順となるように重ねる。
（７）外面側不繊布１１１、フィルター１１２及び着用者側不繊布１１３を、鼻部補強部材１２の上下及び左右において熱・超音波等を用いて前後に溶着させ、鼻部補強部材周辺接続部１１ｅを形成する。
（８）重ねられたシート材を、上部プリーツ１１ｇ及び下部プリーツ１１ｈ、１１ｈが形成されるように折り畳む。
（９）折り畳まれたシート材の上下及び左右の端部付近を、熱・超音波等を用いて前後に溶着させ、上端部接続部１１ａ、下端部接続部１１ｂ、右端部接続部１１ｃ及び左端部接続部１１ｄを形成する。
（１０）耳掛け紐２００の両端部を、シート材の右端部の上下に熱・超音波等を用いて溶着させ右耳掛け部２を形成し、耳掛け紐２００の両端部を、シート材の左端部の上下に熱・超音波等を用いて溶着させ左耳掛け部３を形成する。
【００５２】
［効果の説明］
実施形態に係るマスク１００は、右耳掛け部２及び左耳掛け部３を形成する耳掛け紐２００に、水酸基を一つ以上含む多価アルコールが塗布されている。これによって、右耳掛け部２及び左耳掛け部３と、着用者の耳や頬の肌との間の摩擦が低減されることから、右耳掛け部２及び左耳掛け部３の肌触りが改善される。これによって、マスクの密着性を低下させることなく、着用者への負担を低減することができる。
また、水酸基を一つ以上含む多価アルコールであれば、これが着用者の肌に転写されても、着用者への害悪が生じることもない。
さらに、右耳掛け部２及び左耳掛け部３に何らかの別個の部品等を備えることなく上記効果を得ることができることから、生産コストの増加も最小限とすることができ、マスクの外観を損なうこともない。
【００５３】
また、水酸基を一つ以上含む多価アルコールが保湿剤である場合、着用者の肌の右耳掛け部２及び左耳掛け部３が接する部分への保湿効果も得ることができる。また、マスク着用中に肌に転写された保湿剤が残ることから、マスクを外した後にも、保湿効果を維持することができる。
また、水酸基を一つ以上含む多価アルコールがヒアルロン酸である場合、着用者の肌への保湿効果を特に高めることができる。
【００５４】
また、耳掛け紐２００が、巻糸２０２が巻かれたゴム紐２０１からなり、巻糸２０２に水酸基を一つ以上含む多価アルコールが塗布されている場合、ゴム紐２０１によって、耳掛け紐２００に適切な張力を付与しつつ、巻糸２０２によって、水酸基を一つ以上含む多価アルコールの定着性も高めることができる。
【００５５】
また、耳掛け紐２００が、複数のゴム紐２０１が、長さ方向に対して斜めに配置されるように編み込まれて形成されている場合、図４に示すように、各ゴム紐２０１の張力が掛かる方向Ａと、マスク１００の装着時に耳掛け紐２００が伸縮する方向Ｂが異なるため、力が分散され、右耳掛け部２及び左耳掛け部３による着用者の耳への負担をさらに軽減させることができる。
【００５６】
また、所定数のゴム紐２０１を束ねることによって組２１１が形成され、複数の組２１１を所謂三つ編みの要領で編み込むことで、耳掛け紐２００が形成されている場合、多数のゴム紐２０１をそのまま編み込んだ場合と比較して、耳掛け紐２００に幅及び厚みを出すことができる。また、組２１１と同じ幅、厚みを有する太いゴム紐を用いて編み込んだ場合、耳ゴムが硬くなってしまうが、本構成によれば、耳掛け紐２００に柔らかさを出すことも可能となる。
【実施例】
【００５７】
次に、本発明の実施例及び比較例について、表面測定、引張強度の測定、実使用評価及び肌への転写量の測定を行った結果について説明する。以下、実施例により本発明を具体的に説明するが、本発明はこれらに限定されるものではない。
【００５８】
（実施例１）
ゴム紐：材料ポリウレタン、太さ３３ｄｔｅｘ。
巻糸：材料ポリエステル、太さ８３ｄｔｅｘ。
構成：巻糸を間隙が生じないようにゴム紐に巻いた上で、巻糸が巻かれたゴム紐を３本束ねることによって組を形成し、このような組を１３組編み込むことによって平紐状に形成した。これにヒアルロン酸を、耳かけ紐１ｍあたり１００ｇの塗布量となるように塗布した。
【００５９】
（実施例２）
ゴム紐：材料ポリウレタン、太さ３３ｄｔｅｘ。
巻糸：材料ポリエステル、太さ８３ｄｔｅｘ。
構成：巻糸を間隙が生じないようにゴム紐に巻いた上で、巻糸が巻かれたゴム紐を３本束ねることによって組を形成し、このような組を１３組編み込むことによって平紐状に形成した。これにリン酸エステル（ポリアクリル酸ホスホリルコリングリコール）を、耳かけ紐１ｍあたり１００ｇの塗布量となるように塗布した。
【００６０】
（実施例３）
ゴム紐：材料ポリウレタン、太さ６６ｄｔｅｘ。
巻糸：材料ポリエステル、太さ１９８ｄｔｅｘ。
構成：巻糸を間隙が生じないようにゴム紐に巻いた上で、巻糸が巻かれたゴム紐３本をらせん状に組み上げることによって、丸紐状に形成した。これにヒアルロン酸を、耳かけ紐１ｍあたり１００ｇの塗布量となるように塗布した。
【００６１】
（実施例４）
ゴム紐：材料ポリウレタン、太さ６６ｄｔｅｘ。
巻糸：材料ポリエステル、太さ１９８ｄｔｅｘ。
構成：巻糸を間隙が生じないようにゴム紐に巻いた上で、巻糸が巻かれたゴム紐３本をらせん状に組み上げることによって、丸紐状に形成した。これにリン酸エステル（ポリアクリル酸ホスホリルコリングリコール）を、耳かけ紐１ｍあたり１００ｇの塗布量となるように塗布した。
【００６２】
（比較例１）
ゴム紐：材料ポリウレタン、太さ３３ｄｔｅｘ。
巻糸：材料ポリエステル、太さ８３ｄｔｅｘ。
構成：巻糸を間隙が生じないようにゴム紐に巻いた上で、巻糸が巻かれたゴム紐を３本束ねることによって組を形成し、このような組を１３組編み込むことによって平紐状に形成した。水酸基を一つ以上含む多価アルコールの塗布はなし。
【００６３】
（比較例２）
ゴム紐：材料ポリウレタン、太さ６６ｄｔｅｘ。
巻糸：材料ポリエステル、太さ１９８ｄｔｅｘ。
構成：巻糸を間隙が生じないようにゴム紐に巻いた上で、巻糸が巻かれたゴム紐３本をらせん状に組み上げることによって、丸紐状に形成した。水酸基を一つ以上含む多価アルコールの塗布はなし。
【００６４】
上記実施例及び比較例の耳掛け紐を用いて、以下の試験を行った。
【００６５】
（表面測定）
摩擦試験機としてカトーテック社製KES-SEを用い、測定端子が直線上に動いた時の平均摩擦係数（ＭＩＵ）を測定した。
【００６６】
（引張強度の測定）
実施例及び比較例の耳掛け紐につき、チャック間距離５０ｍｍ、速度３００ｍｍ／分で、長さ方向に２００％（１００ｍｍ）伸ばした時の強度を測定した。なお、引張試験機としては、AND社のTENSILON RTG-1210を用いた。
【００６７】
（実使用評価）
実施例及び比較例の耳掛け紐につき、マスク本体１に取り付けて、１０人の評価者が実際に２時間着用し、耳の痛み及び締め付け感について評価した。
具体的には、外面側不繊布１１１として秤量１７ｇｓｍのポリプロピレンスパンボンド、フィルター１１２として秤量２０ｇｓｍのポリプロピレンメルトブロー、着用者側不繊布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体１を用い、その左右に、長さ１６０ｍｍの耳掛け紐を取り付けて右耳掛け部２及び左耳掛け部３を形成し、実使用評価に用いるマスクを作成した。
なお、試験結果は、耳の痛みにつき、生じなかった場合に◎、少し生じた場合に○、かなり生じた場合に×と評価した。
また、締め付け感につき、変化しなかった場合に○、着用者の感じる締め付け感が時間経過と共に強くなった場合に×と評価した。
【００６８】
（肌への転写量の測定）
実施例及び比較例の耳掛け紐につき、上記実使用評価と同様の条件でマスク本体１に取付けて１０人の評価者に実際に着用させ、マスク着用前後で重量測定を行い、使用前よりも使用後で減少している場合、肌に転写されたと評価した。
なお、耳掛け紐の重量減少量（ｇ）の１０人の平均値を肌への転写量とした。
【００６９】
試験の結果を表Iに示す。
【００７０】
【表１】
2019205788.tif 000003
【００７１】
（評価）
実施例１から４と、比較例１及び２との比較により、巻糸に水酸基を一つ以上含む多価アルコール（リン酸エステル又はヒアルロン酸）を塗布することで、耳への痛み、締め付け感を改善できることが分かる。
また、実施例１及び３と、実施例２及び４との比較により、水酸基を一つ以上含む多価アルコールとしてヒアルロン酸を用いた場合に、リン酸エステルを用いた場合と比較して、さらに表面の滑らかさ及び保湿剤の肌への転写量を向上させることができることが分かる。
また、水酸基を一つ以上含む多価アルコールの塗布によって、僅かに引張強度が低下しているものの、大きな低下はもたらさないことが分かる。
【符号の説明】
【００７２】
１００  マスク
１  マスク本体
２００  耳掛け紐（マスク用耳掛け紐）
２０１  ゴム紐
２０２  巻糸
２１１  組
【図１】
2019205788.tif 000004
【図２】
2019205788.tif 000005
【図３】
2019205788.tif 000006
【図４】
2019205788.tif 000007
【図５】
2019205788.tif 000008